(57)【要約】【課題】１つの装飾品に多様性を持たせることができる装飾品を提供すること。【解決手段】装飾片１Ａ、１Ｂと、取付部３Ａを設けた固定片２とからなる装飾品であって、装飾片１Ａ、１Ｂと固定片２とを、装飾片１Ａ、１Ｂに配設した雄部材４Ａと固定片２に配設した雌部材４Ｂとからなる面ファスナー４によって、着脱可能に構成する。【選択図】図１
0003149392.tif 000002
【実用新案登録請求の範囲】
【請求項１】
装飾片と、取付部を設けた固定片とからなる装飾品であって、装飾片と固定片とを、装飾片又は固定片の一方に配設した雄部材と他方に配設した雌部材とからなる面ファスナーによって、着脱可能に構成したことを特徴とする装飾品。
【請求項２】
装飾片に面ファスナーの雄部材を配設し、装飾片を頭髪部に直接保持させることができるようにしたことを特徴とする請求項１記載の装飾品。
【請求項３】
装飾片に機能性材料を保持するようにしたことを特徴とする請求項１又は２記載の装飾品。
【考案の詳細な説明】
【技術分野】
【０００１】
本考案は、装飾品に関し、特に、携帯電話のストラップやキーホルダ等の取付部を設けた装飾品に関するものである。
【背景技術】
【０００２】
従来、携帯電話に取り付けるストラップや鍵を取り付けるキーホルダ等の取付部を設けた装飾品が汎用されている。
【０００３】
これらストラップやキーホルダ等の装飾品は、携帯電話に取り付けるためのストラップ紐や鍵を取り付けるためのリング等からなる取付部が、装飾片に直接取り付けられているため、１つの装飾品に多様性を持たせることができなかった。
【０００４】
また、従来の装飾品は、ストラップやキーホルダ等の１つの用途に特化したものであって、装飾片を多目的に用いるようにしたものはなかった。
【考案の概要】
【考案が解決しようとする課題】
【０００５】
本考案は、１つの装飾品に多様性を持たせることができる装飾品を提供することを第１の目的とする。
【０００６】
また、本考案は、装飾片を多目的に用いることができる装飾品を提供することを第２の目的とする。
【課題を解決するための手段】
【０００７】
上記第１の目的を達成するため、本考案の装飾品は、装飾片と、取付部を設けた固定片とからなる装飾品であって、装飾片と固定片とを、装飾片又は固定片の一方に配設した雄部材と他方に配設した雌部材とからなる面ファスナーによって、着脱可能に構成したことを特徴とする。
【０００８】
また、上記第２の目的を達成するため、本考案の装飾品は、装飾片に面ファスナーの雄部材を配設し、装飾片を頭髪部に直接保持させることができるようにしたことを特徴とする。
【０００９】
この場合において、装飾片に機能性材料を保持するようにすることができる。
【考案の効果】
【００１０】
本考案の装飾品によれば、装飾片と固定片とを、装飾片又は固定片の一方に配設した雄部材と他方に配設した雌部材とからなる面ファスナーによって、着脱可能に構成したことから、例えば、固定片をストラップ紐を介して携帯電話に取り付けたままで、装飾片のみを他の装飾片と交換することができ、１つの装飾品に多様性を持たせることができる。
【００１１】
また、装飾片に面ファスナーの雄部材を配設し、装飾片を頭髪部に直接保持させることができるようにすることにより、ストラップやキーホルダ等の装飾品の装飾片を、必要に応じて、髪飾りや髪留めの用途にも用いるようにすることができる。
【００１２】
また、装飾片に冷却材、香料、各種薬剤等の機能性材料を保持するようにすることにより、装飾片に機能性材料の有する機能を持たせることができる。
【図面の簡単な説明】
【００１３】
【図１】本考案の装飾品の第１実施例を示し、（Ａ）は装飾品であるストラップを携帯電話に取り付けた状態を示す説明図、（Ｂ）は同ストラップの断面図である。
【図２】本考案の装飾品の第２実施例を示し、装飾品であるキーホルダの説明図である。
【考案を実施するための形態】
【００１４】
以下、本考案の装飾品の実施の形態を、図面に基づいて説明する。
【実施例１】
【００１５】
図１に、本考案の装飾品の第１実施例を示す。
この装飾品は、本考案を携帯電話Ｋに取り付けるためのストラップに適用したもので、選択的に用いることができる装飾片１Ａ、１Ｂと、ストラップ紐からなる取付部３Ａを設けた固定片２とからなり、装飾片１Ａ又は装飾片１Ｂと固定片２とを、装飾片１Ａ、１Ｂ又は固定片２の一方（本実施例においては、装飾片１Ａ、１Ｂ）に配設した雄部材４Ａと他方（本実施例においては、固定片２）に配設した雌部材４Ｂとからなる面ファスナー４によって、着脱可能に構成するようにしている。
【００１６】
この場合において、装飾片１Ａ、１Ｂのデザインは、本実施例のものに限定されず、動物等のキャラクタ、花、幾何学模様等の意匠性、ファッション性に優れたものを採用することができる。
【００１７】
また、面ファスナー４には、公知の面ファスナーを広く使用することができるが、本実施例においては、雄部材４Ａに、シート上に、モノフィラメント状物からなり、先端をフック状、キノコ状、ループ状の上端を切り開いた形状等の突起状物を多数林立状態に配設したものを用いるようにし、また、雌部材４Ｂに、シート上に、ループ状の繊維状物を多数林立状態に配設したものを用いるようにしている。
【００１８】
この装飾品は、選択的に用いることができる装飾片１Ａ、１Ｂと固定片２とを、装飾片１Ａ、１Ｂ又は固定片２の一方に配設した雄部材４Ａと他方に配設した雌部材４Ｂとからなる面ファスナー４によって、着脱可能に構成したことから、固定片２をストラップ紐からなる取付部３Ａを介して携帯電話Ｋに取り付けたままで、装飾片１Ａ、１Ｂのみを他の装飾片と交換することができ、１つの装飾品に多様性を持たせることができる。
【００１９】
また、この装飾品は、装飾片１Ａ、１Ｂに面ファスナー４の雄部材４Ａを配設するようにしているので、装飾片１Ａ、１Ｂを頭髪部に直接保持させることができ、これにより、装飾片１Ａ、１Ｂを、必要に応じて、髪飾りや髪留めの用途にも用いるようにすることができる。
【００２０】
さらに、装飾片１Ａ、１Ｂの表層材と雄部材４Ａとの間に、不織布、スポンジ等からなる機能性材料の吸着用資材や封入用資材を配設し、冷却材、香料、各種薬剤等の機能性材料を保持するようにすることができる。
これにより、装飾片１Ａ、１Ｂに機能性材料の有する機能を持たせることができる。
【実施例２】
【００２１】
図２に、本考案の装飾品の第２実施例を示す。
この装飾品は、本考案を鍵を取り付けるキーホルダに適用したもので、選択的に用いることができる装飾片１Ａ、１Ｂと、リングからなる取付部３Ｂを設けた固定片２とからなり、装飾片１Ａ又は装飾片１Ｂと固定片２とを、装飾片１Ａ、１Ｂ又は固定片２の一方（本実施例においては、装飾片１Ａ、１Ｂ）に配設した雄部材４Ａと他方（本実施例においては、固定片２）に配設した雌部材４Ｂとからなる面ファスナー４によって、着脱可能に構成するようにしている。
【００２２】
この装飾品は、選択的に用いることができる装飾片１Ａ、１Ｂと固定片２とを、装飾片１Ａ、１Ｂ又は固定片２の一方に配設した雄部材４Ａと他方に配設した雌部材４Ｂとからなる面ファスナー４によって、着脱可能に構成したことから、固定片２にリングからなる取付部３Ｂを介して鍵を取り付けたままで、装飾片１Ａ、１Ｂのみを他の装飾片と交換することができ、１つの装飾品に多様性を持たせることができる。
【００２３】
なお、本実施例の装飾品のその他の構成及び作用は、第１実施例の装飾品と同様である。
【００２４】
以上、本考案の装飾品について、複数の実施例に基づいて説明したが、本考案は上記実施例に記載した構成に限定されるものではなく、その趣旨を逸脱しない範囲において適宜その構成を変更することができるものである。
【産業上の利用可能性】
【００２５】
本考案の装飾品は、１つの装飾品に多様性を持たせることができることから、携帯電話に取り付けるストラップや鍵を取り付けるキーホルダの用途に好適に用いることができるほか、鞄や袋物等に取り付けられる取付部を設けた装飾品等の用途にも広く用いることができる。
【符号の説明】
【００２６】
１Ａ  装飾片
１Ｂ  装飾片
２    固定片
３Ａ  取付部（ストラップ紐）
３Ｂ  取付部（リング）
４    面ファスナー
４Ａ  雄部材
４Ｂ  雌部材
【図１】
0003149392.tif 000003
【図２】
0003149392.tif 000004